(57)【要約】【課題】  ハードウェア規模及び消費電力を削減可能であり、且つ、汎用性の高い映像信号処理装置を提供する。【解決手段】  外部からの入力映像信号ＶＩＮに対応した第１内部同期信号ＳＹＮＣ１、及び第１内部同期信号ＳＹＮＣ１と同期した第２内部同期信号ＳＹＮＣ２を生成する同期信号生成装置２ａと、外部からの入力映像信号ＶＩＮを第１内部同期信号ＳＹＮＣ１に同期化させて第１内部映像信号ＶＩＮ１を生成する第１同期化装置１１と、第１内部映像信号ＶＩＮ１を第２内部同期信号ＳＹＮＣ２に同期化させ、第１内部映像信号ＶＩＮ１のフレーム数を制御して第２内部映像信号ＶＩＮ２を生成する第２同期化装置１２と、第２内部同期信号ＳＹＮＣ２の周期内に、外部からの符号化映像信号ＢＳＩＮの圧縮復号化と第２内部映像信号ＶＩＮ２の圧縮符号化を時分割で行うコーデック装置４とを備える。【選択図】  図１
2006140715.tif 000002
【特許請求の範囲】
【請求項１】
外部からの入力映像信号の規格に対応した第１内部同期信号、及び前記第１内部同期信号と同期した第２内部同期信号を生成する同期信号生成装置と、
前記入力映像信号を前記第１内部同期信号に同期化させて第１内部映像信号を生成する第１同期化装置と、
前記第１内部映像信号を前記第２内部同期信号に同期化させ、前記第１内部映像信号のフレーム数を制御して第２内部映像信号を生成する第２同期化装置と、
前記第２内部同期信号の周期内に、外部からの符号化映像信号の圧縮復号化と前記第２内部映像信号の圧縮符号化を時分割で行うコーデック装置
とを備えることを特徴とする映像信号処理装置。
【請求項２】
前記同期信号生成装置は、前記第１内部同期信号及び前記第２内部同期信号と同期した前記第３内部同期信号を更に生成することを特徴とする請求項１に記載の映像信号処理装置。
【請求項３】
前記圧縮復号化された前記符号化映像信号を前記第３内部同期信号に同期化させて出力映像信号を生成する第３同期化装置を更に備えることを特徴とする請求項２に記載の映像信号処理装置。
【請求項４】
前記第２内部同期信号の周波数が、ＮＴＳＣ規格で規定されるフレーム周波数に等しいことを特徴とする請求項１〜３のいずれか１項に記載の映像信号処理装置。
【請求項５】
前記第２同期化装置は、前記第１内部同期信号及び前記第２内部同期信号のそれぞれの位相が一致する周期内に、前記第１内部映像信号のフレームのリピート又はスキップを行い、前記第１内部映像信号のフレーム数を制御することを特徴とする請求項４に記載の映像信号処理装置。
【発明の詳細な説明】
【技術分野】
【０００１】
本発明は、映像信号の圧縮符号化及び圧縮復号化を行う映像信号処理装置に関する。
【背景技術】
【０００２】
ハード・ディスク・ドライブ（ＨＤＤ）レコーダ及びデジタル多機能ディスク（ＤＶＤ）レコーダ等の映像の録画再生機器は、通常、入力映像信号及び圧縮符号化された映像信号（以下において「符号化映像信号」という。）をエムペグ（ＭＰＥＧ）２規格等に準拠して圧縮符号化及び圧縮復号化する機能を有する。ＭＰＥＧ２等の圧縮符号化及び圧縮復号化処理は、逆変換ではあるが類似したハードウェア構成で実現できるので、単一の同期信号と同期して動作するコーデック装置を用いて圧縮符号化及び圧縮復号化処理を行うことが望ましい。
【０００３】
また、世界で使用されているアナログのカラーテレビ放送規格は、米国テレビジョンシステム委員会（ＮＴＳＣ）規格、位相・反転・走査線（ＰＡＬ；パル）規格、及び順次式カラーメモリ（ＳＥＣＡＭ；セカム）規格に大別される。ＮＴＳＣ規格では、１秒当たりに約３０枚のフレームを５２５本の走査線に分割して放送する。ＰＡＬ規格及びＳＥＣＡＭ規格では、１秒当たりに２５枚のフレームを６２５本の走査線に分割して放送する。
【０００４】
このように、フレーム周波数に関しては、ＮＴＳＣ規格では３０［Ｈｚ］であり、ＰＡＬ規格及びＳＥＣＡＭ規格では２５［Ｈｚ］である。欧州及び中国等がＰＡＬ規格を採用するのに対して、映像コンテンツの豊富な米国がＮＴＳＣ規格を採用するため、ＰＡＬ規格とＮＴＳＣ規格が混在して使用されることがある。上述した事情に鑑み、ＮＴＳＣ規格の符号化映像信号を圧縮復号化してＰＡＬ規格のフレーム周波数を有する出力映像信号を生成可能な映像信号処理装置が提案されている（例えば、特許文献１参照。）。
【０００５】
しかしながら、同一の同期信号と同期して動作するコーデック装置を用いて圧縮符号化及び圧縮復号化処理を行う場合、圧縮符号化及び圧縮復号化処理でフレーム周波数の異なる映像信号を取り扱うことが難しい。即ち、ＮＴＳＣ規格の符号化映像信号の圧縮復号化処理と、ＰＡＬ規格又はＳＥＣＡＭ規格の入力映像信号の圧縮符号化処理を同時に行う様な場合に対応できない。互いに異なる同期信号で動作する圧縮符号化装置及び圧縮復号化装置を個別に設けることによりフレーム周波数の異なる映像信号を取り扱い可能となるが、映像信号処理装置のハードウェア規模及び消費電力が増大する。
【特許文献１】米国特許第６４４５４１９号明細書
【発明の開示】
【発明が解決しようとする課題】
【０００６】
本発明は、ハードウェア規模及び消費電力を削減可能であり、且つ、汎用性の高い映像信号処理装置を提供する。
【課題を解決するための手段】
【０００７】
本発明の一態様は、（イ）外部からの入力映像信号の規格に対応した第１内部同期信号、及び前記第１内部同期信号と同期した第２内部同期信号を生成する同期信号生成装置；（ロ）入力映像信号を第１内部同期信号に同期化させて第１内部映像信号を生成する第１同期化装置；（ハ）第１内部映像信号を第２内部同期信号に同期化させ、第１内部映像信号のフレーム数を制御して第２内部映像信号を生成する第２同期化装置；（ニ）第２内部同期信号の周期内に、外部からの符号化映像信号の圧縮復号化と第２内部映像信号の圧縮符号化を時分割で行うコーデック装置を備える映像信号処理装置であることを要旨とする。
【発明の効果】
【０００８】
本発明によれば、ハードウェア規模及び消費電力を削減可能であり、且つ、汎用性の高い映像信号処理装置を提供できる。
【発明を実施するための最良の形態】
【０００９】
次に、図面を参照して、本発明の第１及び第２の実施の形態を説明する。この第１及び第２の実施の形態における図面の記載において、同一又は類似の部分には同一又は類似の符号を付している。
【００１０】
（第１の実施の形態）
本発明の第１の実施の形態に係る映像信号処理装置は、図１に示すように、映像信号入力装置１、符号化映像信号入力装置３、コーデック装置４、映像信号出力装置５ａ、符号化映像信号出力装置６、同期信号生成装置２ａ、及びクロック生成装置７を備える。映像信号入力装置１は、第１同期化装置１１及び第２同期化装置１２を備える。同期信号生成装置２ａは、外部からの入力映像信号ＶＩＮの規格に対応した第１内部同期信号ＳＹＮＣ１、及び前記第１内部同期信号ＳＹＮＣ１と同期した第２内部同期信号ＳＹＮＣ２を生成する。第１同期化装置１１は、入力映像信号ＶＩＮを第１内部同期信号ＳＹＮＣ１に同期化させて第１内部映像信号ＶＩＮ１を生成する。第２同期化装置１２は、第１内部映像信号ＶＩＮ１を第２内部同期信号ＳＹＮＣ２に同期化させ、第１内部映像信号ＶＩＮ１のフレーム数を制御して第２内部映像信号ＶＩＮ２を生成する。コーデック装置４は、第２内部同期信号ＳＹＮＣ２の周期内に、外部からの符号化映像信号ＢＳＩＮの圧縮復号化と第２内部映像信号ＶＩＮ２の圧縮符号化を時分割で行う。ここで、「符号化映像信号ＢＳＩＮ」とは、例えばＭＰＥＧ規格等に準拠して圧縮符号化された映像信号を意味する。
【００１１】
また、コーデック装置４としては、例えばＭＰＥＧ規格に準拠したＭＰＥＧコーデック装置が使用できる。第１内部同期信号ＳＹＮＣ１及び第２内部同期信号ＳＹＮＣ２としては、フレーム同期信号及びフィールド同期信号のいずれかを使用できる。２枚のフィールドにより１枚のフレームが構成されるため、フレーム同期信号の周波数は、フィールド同期信号の周波数の２倍となる。
【００１２】
更に、第１同期化装置１１の入力には、例えばアナログテレビチューナ等の受信装置が接続される。入力映像信号ＶＩＮには、入力同期信号ＳＹＮＣが重畳されて伝達されるため、図示を省略する同期信号分離装置等により入力映像信号ＶＩＮから入力同期信号ＳＹＮＣが分離される。これに対して符号化映像信号入力装置３の入力には、例えばＤＶＤプレーヤ又はデジタルテレビチューナ等が接続される。
【００１３】
また、同期信号生成装置２ａの入力は、クロック生成装置７の出力に接続される。第２同期化装置１２の入力は、第１同期化装置１１及び同期信号生成装置２ａのそれぞれの出力に接続される。コーデック装置４の入力は、第２同期化装置１２、符号化映像信号入力装置３、及び同期信号生成装置２ａのそれぞれの出力に接続される。映像信号出力装置５ａの入力は、コーデック装置４及び同期信号生成装置２ａのそれぞれの出力に接続される。符号化映像信号出力装置６の入力はコーデック装置４の出力に接続される。尚、符号化映像信号出力装置６の出力には、例えばハードディスクドライブ（ＨＤＤ）及びＤＶＤドライブ等の記録装置が接続される。映像信号出力装置５ａの出力には、例えばテレビジョン受像機等の表示装置が接続される。
【００１４】
更に、第１同期化装置１１及び第２同期化装置１２は、フレームバッファ及びフレームバッファに対する書き込み及び読み出しを制御する制御装置を備える。第１同期化装置１１は、例えば、フィールド単位で供給される入力映像信号ＶＩＮをフレーム単位で順次蓄積する。制御装置は、第１内部同期信号ＳＹＮＣ１と同期してフレーム単位で順次蓄積された入力映像信号ＶＩＮの読み出しを行う。
【００１５】
また、第１同期化装置１１は、フレームバッファの記憶容量を一定に保つために、フレームのスキップ又はリピートを行う。ここで、「スキップ」とは、フレームを出力しない動作を意味する。「リピート」とは、同一のフレームを２回連続して出力する動作を意味する。或いは、制御装置は、入力される２つの同期信号の位相差を検出し、位相差に応じてフレームのスキップ又はリピートを行う。
【００１６】
更に、入力同期信号ＳＹＮＣ及び第１内部同期信号ＳＹＮＣ１としては、同一の規格のフレーム同期信号又はフィールド同期信号が使用される。即ち、入力同期信号ＳＹＮＣがＰＡＬ規格のフレーム同期信号又はフィールド同期信号である場合、第１内部同期信号ＳＹＮＣ１もＰＡＬ規格のフレーム同期信号又はフィールド同期信号に設定される。
【００１７】
入力同期信号ＳＹＮＣは外部装置により生成されるため、第１同期化装置１１に伝達される際に公称値との誤差が生じる。更に、外部装置の停止等により入力同期信号ＳＹＮＣの供給が中断される場合がある。よって、第１同期化装置１１は、入力映像信号ＶＩＮを第１内部同期信号ＳＹＮＣ１に同期化させて、入力映像信号ＶＩＮ及び入力同期信号ＳＹＮＣに生じる位相誤差を補正する。
【００１８】
これに対して第２同期化装置１２は、第１内部映像信号ＶＩＮ１を第２内部同期信号ＳＹＮＣ２に同期化させる機能に加えて、第１内部映像信号ＶＩＮ１のフレーム数を変換する機能を具備する。第１内部同期信号ＳＹＮＣ１及び第２内部同期信号ＳＹＮＣ２が互いに同期しているので、第２同期化装置１２に所望のフレーム数変換シーケンスを実行させることが可能である。第２同期化装置１２は、例えば、第１内部同期信号ＳＹＮＣ１及び第２内部同期信号ＳＹＮＣ２のそれぞれの位相が一致する周期内に、特定のタイミングで第１内部映像信号ＶＩＮ１のフレームのリピート又はスキップを行うことによりフレーム数の変換を行う。第２同期化装置１２の具体的な動作については後述する。
【００１９】
更に、符号化映像信号入力装置３は、符号化映像信号ＢＳＩＮを受け取り、コーデック装置４に伝達する。尚、符号化映像信号入力装置３は、符号化映像信号ＢＳＩＮがＭＰＥＧ２規格に準拠して圧縮符号化されている場合、符号化映像信号ＢＳＩＮに含まれるクロック成分、即ちプログラム・クロック・リファレンス（ＰＣＲ）又はシステム・クロック・リファレンス（ＳＣＲ）を抽出する。
【００２０】
また、クロック生成装置７は、例えば図示を省略する水晶発振器（ＸＯ）又は電圧制御ＸＯ（ＶＣＸＯ）を備える。クロック生成装置７は、例えば符号化映像信号入力装置３が抽出したＰＣＲ又はＳＣＲに基づいて基準クロックＶＣＬＫを生成する必要がある場合、ＶＣＸＯを備える。
【００２１】
更に、映像信号出力装置５ａは、第２内部同期信号ＳＹＮＣ２と同期して、コーデック装置４により圧縮復号化された符号化映像信号ＢＳＩＮ（以下において「復号化映像信号ＶＯＵＴ１」という。）を外部に出力する。符号化映像信号出力装置６は、コーデック装置４により圧縮符号化された第２内部映像信号ＶＩＮ２（以下において「符号化出力信号ＢＳＯＵＴ」という。）を外部に出力する。
【００２２】
また、同期信号生成装置２ａは、例えば、基準クロックＶＣＬＫに基づいて第１内部同期信号ＳＹＮＣ１及び第２内部同期信号ＳＹＮＣ２をそれぞれ生成する２つの分周比可変な分周回路又は２つの位相同期化ループ（ＰＬＬ）回路を備える。第１同期化装置１１がフレーム単位で同期化処理を行う場合、第１内部同期信号ＳＹＮＣ１の周波数は、例えば２５［Ｈｚ］又は３０［Ｈｚ］に設定される。アナログのカラーテレビ放送規格が２５［Ｈｚ］又は３０［Ｈｚ］の内、いずれか一方のフレーム周波数を採用しているためである。同様に、第２内部同期信号ＳＹＮＣ２の周波数は、例えば２５［Ｈｚ］又は３０［Ｈｚ］に設定される。
【００２３】
ここで、第２内部同期信号ＳＹＮＣ２の周波数をＮＴＳＣ規格のフレーム周波数である３０［Ｈｚ］に設定すると、第２同期化装置１２は、ＮＴＳＣ規格よりもフレーム周波数の低いＰＡＬ規格及びＳＥＣＡＭ規格等の入力映像信号ＶＩＮを処理する際にフレームを失わずに動作できる。
【００２４】
次に、図２〜図６に示すタイミングチャートを参照して、第１の実施の形態に係る映像信号処理装置の動作を説明する。図２〜図６に示すタイミングチャートにおいては、入力同期信号ＳＹＮＣ、第１内部同期信号ＳＹＮＣ１、及び第２内部同期信号ＳＹＮＣ２としてフレーム同期信号を使用する場合について説明する。即ち、第１同期化装置１１及び第２同期化装置１２は、フレーム単位で同期化処理を行い、コーデック装置４は、フレーム周期内において圧縮復号化及び圧縮符号化を時分割で行う。
【００２５】
先ず、図２を用いて、入力同期信号ＳＹＮＣ、第１内部同期信号ＳＹＮＣ１、及び第２内部同期信号ＳＹＮＣ２のそれぞれの位相が等しく、第１同期化装置１１及び第２同期化装置１２がフレームの同期化及びフレーム数の変換を行わない一例を説明する。
【００２６】
（イ）図１に示す第２同期化装置１２は、図２（ａ）の時刻ｔ０〜ｔ１の期間に示すように、第１同期化装置１１からのフレーム００を一旦保持する。一方、コーデック装置４は、図２（ｃ）の時刻ｔ０〜ｔ１の期間の一部において、外部から符号化映像信号入力装置３を介して伝達されるＩピクチャＩ３２を圧縮復号化する。「Ｉピクチャ」とは、１枚のフレーム内で符号化された映像信号を意味する。この結果、図２（ｄ）の時刻ｔ０〜ｔ１の期間に示すように、コーデック装置４の内部でフレームＩ３２が生成される。
【００２７】
（ロ）第２同期化装置１２は、図２（ａ）の時刻ｔ１〜ｔ２の期間に示すように、第１同期化装置１１からのフレーム０１を一旦保持する。同時に、第２同期化装置１２は、図２（ｂ）の時刻ｔ１〜ｔ２の期間に示すように、時刻ｔ０〜ｔ１の期間で保持したフレーム００をコーデック装置４に伝達する。コーデック装置４は、図２（ｃ）及び（ｄ）の時刻ｔ１〜ｔ２の期間の一部において、ＢピクチャＢ３０を圧縮復号化してフレームＢ３０を生成する。Ｂピクチャは、直前と直後のＩピクチャ又はＰピクチャを生成した映像を基準とした差分をとって符号化される映像信号を意味する。
【００２８】
（ハ）図２（ａ）の時刻ｔ２〜ｔ３の期間に示すように、第２同期化装置１２は、第１同期化装置１１からのフレーム０２を一旦保持する。また、第２同期化装置１２は、図２（ｂ）の時刻ｔ２〜ｔ３の期間に示すように、時刻ｔ１〜ｔ２の期間で保持したフレーム０１をコーデック装置４に伝達する。コーデック装置４は、図２（ｃ）及び（ｄ）の時刻ｔ２〜ｔ３の期間の一部において、ＢピクチャＢ３１を圧縮復号化してフレームＢ３１を生成する。
【００２９】
（ニ）図２（ａ）の時刻ｔ３〜ｔ４の期間に示すように、第２同期化装置１２は、第１同期化装置１１からのフレーム０３を一旦保持する。更に、第２同期化装置１２は、図２（ｂ）の時刻ｔ３〜ｔ４の期間に示すように、時刻ｔ２〜ｔ３の期間で保持したフレーム０２をコーデック装置４に伝達する。コーデック装置４は、図２（ｃ）及び（ｄ）の時刻ｔ３〜ｔ４の期間の一部において、ＰピクチャＰ３５を圧縮復号化してフレームＰ３５を生成する。Ｐピクチャは、他のピクチャを生成した映像を基準とした差分をとって符号化された映像信号を意味する。コーデック装置４は、図２（ｃ）及び（ｄ）の時刻ｔ３〜ｔ４の残る期間において、フレーム０２を圧縮符号化する。時刻ｔ４〜ｔ５、時刻ｔ５〜ｔ６、及び時刻ｔ６〜ｔ７のそれぞれの期間においては、時刻ｔ３〜ｔ４の期間と同様の動作が行われる。
【００３０】
図２（ｃ）に示すように、コーデック装置４が同一のフレーム周期内において、圧縮復号化及び圧縮符号化を時分割で行うことにより、従来のように圧縮復号化装置及び圧縮符号化装置を個別に備える必要が無い。よって、消費電力、ハードウェア規模、及びコストを削減可能な映像信号処理装置が実現される。
【００３１】
次に、図３に示すタイミングチャートは、図３（ｄ）に示すＰＡＬ規格の入力映像信号ＶＩＮを、ＰＡＬ規格のフレーム数を維持しつつ、図３（ｃ）に示すＮＴＳＣ規格のフレーム周波数を有する第２内部同期信号ＳＹＮＣ２に同期化させる一例を示している。
【００３２】
更に、図３（ａ）に示す入力同期信号ＳＹＮＣの周波数は、図３（ｂ）に示す第１内部同期信号ＳＹＮＣ１の周波数よりも高い。即ち、第１内部同期信号ＳＹＮＣ１の周波数が２５［Ｈｚ］であるのに対して、入力同期信号ＳＹＮＣの周波数は２５［Ｈｚ］を超えている。
【００３３】
したがって、第１同期化装置１１は、図３（ｄ）及び（ｅ）の時刻ｔ６において、フレーム２５をスキップしている。ここで、図３の時刻ｔ６直前の時点においては、第１同期化装置１１に図３（ｄ）に示すフレーム２５及びフレーム２６が保持されている。第１同期化装置１１がフレーム２５を出力すべき時刻ｔ６において、フレーム２６の次のフレームであるフレーム２７が入力されている。よって、フレーム２５が不要となるため、第１同期化装置１１がフレーム２５をスキップしてフレーム２７を出力することにより、第１同期化装置１１の内部のフレームバッファの容量が一定に保たれる。
【００３４】
これに対して図３（ｃ）に示す第２内部同期信号ＳＹＮＣ２の周波数は、ＮＴＳＣ規格で規定するフレーム周波数である３０［Ｈｚ］に設定されている。第２同期化装置１２が、図３（ｅ）に示すＰＡＬ規格のフレーム周波数を有する第１内部映像信号ＶＩＮ１を、ＰＡＬ規格のフレーム数を維持しつつ、ＮＴＳＣ規格のフレーム周波数を有する第２内部同期信号ＳＹＮＣ２に同期化させる場合、図３（ｆ）の時刻ｔ０〜ｔ２及び時刻ｔ１５〜ｔ１６の期間に示すように、第２内部映像信号ＶＩＮ２におけるフレームを出力しない期間が作成される。第１内部同期信号ＳＹＮＣ１及び第２内部同期信号ＳＹＮＣ２のそれぞれの位相が一致する周期、即ち図３の時刻ｔ０〜ｔ１５の期間で、第１内部映像信号ＶＩＮ１及び第２内部映像信号ＶＩＮ２のそれぞれのフレーム数が一定に保たれる。
【００３５】
この結果、コーデック装置４は、図３（ｃ）に示すＮＴＳＣ規格のフレーム周波数を有する第２内部同期信号ＳＹＮＣ２と同期して、図３（ｆ）に示すＰＡＬ規格のフレーム数を有する第２内部映像信号ＶＩＮ２を圧縮符号化することとなる。
【００３６】
次に、図４に示すタイミングチャートは、図４（ｄ）に示すＰＡＬ規格の入力映像信号ＶＩＮを、ＮＴＳＣ規格のフレーム数に変換し、図４（ｃ）に示すＮＴＳＣ規格のフレーム周波数を有する第２内部同期信号ＳＹＮＣ２に同期化させる一例を示している。
【００３７】
更に、図４（ａ）に示す入力同期信号ＳＹＮＣの周波数は、図４（ｂ）に示す第１内部同期信号ＳＹＮＣ１の周波数よりも低い。即ち、第１内部同期信号ＳＹＮＣ１の周波数が２５［Ｈｚ］であるのに対して、入力同期信号ＳＹＮＣの周波数は２５［Ｈｚ］未満となっている。
【００３８】
したがって、第１同期化装置１１は、図４（ｄ）及び（ｅ）の時刻ｔ６において、フレーム２５をリピートすることにより、第１同期化装置１１の内部のフレームバッファの容量が一定に保たれる。
【００３９】
また、第２同期化装置１２が、図４（ｅ）に示すＰＡＬ規格の第１内部映像信号ＶＩＮ１を、ＮＴＳＣ規格のフレーム数及びフレーム周波数を有する第２内部映像信号ＶＩＮ２に変換する場合、図４（ｆ）に示すように、第１内部映像信号ＶＩＮ１のフレームのリピートが行われる。
【００４０】
第２同期化装置１２は、例えば、図４（ｂ）に示す第１内部同期信号ＳＹＮＣ１及び図４（ｃ）に示す第２内部同期信号ＳＹＮＣ２のそれぞれの位相の一致を検出し、フレームのリピートを行う。この結果、第２同期化装置１２は、ＰＡＬ規格のフレーム数を有する第１内部映像信号ＶＩＮ１を、ＮＴＳＣ規格のフレーム数を有する第２内部映像信号ＶＩＮ２に変換している。
【００４１】
次に、図５に示すタイミングチャートは、図５（ｄ）に示すＮＴＳＣ規格の入力映像信号ＶＩＮを、ＰＡＬ規格のフレーム数に変換し、図５（ｃ）に示す第２内部同期信号ＳＹＮＣ２に同期化させる一例を示している。
【００４２】
更に、図５（ａ）に示す入力同期信号ＳＹＮＣの周波数は、図５（ｂ）に第１内部同期信号ＳＹＮＣ１の周波数よりも高い。よって、第１同期化装置１１は、図３と同様に、入力映像信号ＶＩＮに対してフレームのスキップを行うことにより、第１同期化装置１１の内部のフレームバッファの容量を一定に保つ。
【００４３】
第２同期化装置１２が、図５（ｅ）に示すＮＴＳＣ規格のフレーム数及びフレーム周波数を有する第１内部映像信号ＶＩＮ１を、ＮＴＳＣ規格のフレーム周波数を維持しつつ、図５（ｆ）に示すＰＡＬ規格のフレーム数を有する第２内部映像信号ＶＩＮ２に変換する場合、図５（ｆ）の時刻ｔ１０〜ｔ１１に示すように、第１内部映像信号ＶＩＮ１の６フレーム毎に１フレームを出力しない期間が作成される。
【００４４】
この結果、コーデック装置４は、図５（ｃ）に示すＮＴＳＣ規格のフレーム周波数を有する第２内部同期信号ＳＹＮＣ２と同期して、図５（ｆ）に示すＰＡＬ規格のフレーム数を有する第２内部映像信号ＶＩＮ２を圧縮符号化することとなる。
【００４５】
次に、図６に示すタイミングチャートは、図６（ｄ）に示すＮＴＳＣ規格の入力映像信号ＶＩＮを、図６（ｆ）に示すように、ＮＴＳＣ規格のフレーム数を維持しつつ、図６（ｃ）に示すＮＴＳＣ規格のフレーム周波数を有する第２内部同期信号ＳＹＮＣ２に同期化させる一例を示している。
【００４６】
また、図６（ａ）に示す入力同期信号ＳＹＮＣの周波数が、図６（ｂ）に示す第１内部同期信号ＳＹＮＣ１の周波数よりも低い。したがって、第１同期化装置１１は、図４と同様に、入力映像信号ＶＩＮに対してフレームのリピートを行うことにより、第１同期化装置１１の内部のフレームバッファの容量を一定に保つ。
【００４７】
更に、第２同期化装置１２は、図６（ｅ）に示すＮＴＳＣ規格のフレーム数を有する第２内部映像信号ＶＩＮ２を図６（ｃ）に示すＮＴＳＣ規格のフレーム周波数を有する第２内部同期信号ＳＹＮＣ２に同期化させる場合、第２内部映像信号ＶＩＮ２をそのままコーデック装置４に伝達する。
【００４８】
このように、第２同期化装置１２が、第１内部映像信号ＶＩＮ１を第２内部同期信号ＳＹＮＣ２に同期化させると共に、第１内部映像信号ＶＩＮ１のフレーム数を制御して第２内部映像信号ＶＩＮ２を生成している。よって、第２内部同期信号ＳＹＮＣ２の周期内において圧縮符号化及び圧縮復号化を時分割で行うコーデック装置４を用いて、例えば、互いにフレーム数の異なるＮＴＳＣ規格の符号化映像信号ＢＳＩＮ及びＰＡＬ規格の入力映像信号ＶＩＮを同時に圧縮符号化及び圧縮復号化することが可能となる。したがって、第１の実施の形態によれば、ハードウェア規模及び消費電力を削減可能であり、汎用性の高い映像信号処理装置を提供できる。
【００４９】
（第２の実施の形態）
本発明の第２の実施の形態に係る映像信号処理装置は、図７に示すように、映像信号出力装置５ｂが、第３同期化装置５１を備える点が図１と異なる。また、同期信号生成装置２ｂは、第１内部同期信号ＳＹＮＣ１及び第２内部同期信号ＳＹＮＣ２に同期した第３内部同期信号ＳＹＮＣ３を更に生成する点が図１と異なる。第３同期化装置５１は、復号化映像信号ＶＯＵＴ１を第３内部同期信号ＳＹＮＣ３に同期化させて出力映像信号ＶＯＵＴ２を生成する。即ち、図７に示す映像信号処理装置においては、復号化映像信号ＶＯＵＴ１のフレーム数及びフレーム周波数を制御可能な構成である。その他の構成については図１に示す映像信号処理装置の構成と同様である。
【００５０】
次に、図８〜図１１に示すタイミングチャートを参照して、第２の実施の形態に係る映像信号処理装置の動作を説明する。但し、第１の実施の形態に係る映像信号処理装置の動作と同様の動作については、重複する説明を省略する。
【００５１】
先ず、図８に示すタイミングチャートは、ＰＡＬ規格のフレーム数を有する復号化映像信号ＶＯＵＴ１を、図８（ｂ）に示すＰＡＬ規格のフレーム周波数を有する第３内部同期信号ＳＹＮＣ３に同期化させる場合を示している。尚、図８（ｃ）に示す復号化映像信号ＶＯＵＴ１は、図７に示すコーデック装置４が、ＰＡＬ規格の符号化映像信号ＢＳＩＮを、図８（ａ）に示すＮＴＳＣ規格のフレーム周波数を有する第２内部同期信号ＳＹＮＣ２と同期して圧縮復号化することにより生成されている。
【００５２】
この場合、第３同期化装置５１が、図８（ｃ）及び（ｄ）に示すように、復号化映像信号ＶＯＵＴ１に対してフレームのスキップ・リピートを実行することなく、復号化映像信号ＶＯＵＴ１を第３内部同期信号ＳＹＮＣ３に同期化させるのみで良い。
【００５３】
次に、図９に示すタイミングチャートは、ＮＴＳＣ規格のフレーム数を有する復号化映像信号ＶＯＵＴ１を、図９（ｂ）に示すＰＡＬ規格のフレーム周波数を有する第３内部同期信号ＳＹＮＣ３に同期化させる一例を示している。尚、図９（ｃ）に示す復号化映像信号ＶＯＵＴ１は、コーデック装置４が、ＮＴＳＣ規格の符号化映像信号ＢＳＩＮを、図９（ａ）に示すＮＴＳＣ規格のフレーム周波数を有する第２内部同期信号ＳＹＮＣ２と同期して圧縮復号化することにより生成されている。
【００５４】
第３同期化装置５１は、例えば、図９（ｃ）に示す復号化映像信号ＶＯＵＴ１の６フレーム毎に１フレームをスキップし、ＮＴＳＣ規格のフレーム数を有する復号化映像信号ＶＯＵＴ１を、図９（ｄ）に示すＰＡＬ規格のフレーム数を有する出力映像信号ＶＯＵＴ２に変換する。
【００５５】
次に、図１０に示すタイミングチャートは、ＰＡＬ規格のフレーム数を有する復号化映像信号ＶＯＵＴ１を、図１０（ｂ）に示すＰＡＬ規格のフレーム周波数を有する第３内部同期信号ＳＹＮＣ３に同期化させる一例を示している。尚、図１０（ｃ）に示す復号化映像信号ＶＯＵＴ１は、コーデック装置４が、ＰＡＬ規格の符号化映像信号ＢＳＩＮを、図１０（ａ）に示すＮＴＳＣ規格のフレーム周波数を有する第２内部同期信号ＳＹＮＣ２と同期して圧縮復号化することにより生成されている。
【００５６】
第３同期化装置５１は、例えば、図１０（ｃ）に示す復号化映像信号ＶＯＵＴ１の５フレーム毎に１フレームをリピートし、ＰＡＬ規格のフレーム数を有する復号化映像信号ＶＯＵＴ１を、図１０（ｄ）に示すＮＴＳＣ規格のフレーム数を有する出力映像信号ＶＯＵＴ２に変換する。
【００５７】
次に、図１１に示すタイミングチャートは、ＮＴＳＣ規格のフレーム数を有する復号化映像信号ＶＯＵＴ１を、図１１（ｂ）に示すＮＴＳＣ規格のフレーム周波数を有する第３内部同期信号ＳＹＮＣ３に同期化させる一例を示している。尚、図１１（ｃ）に示す復号化映像信号ＶＯＵＴ１は、コーデック装置４が、ＮＴＳＣ規格の符号化映像信号ＢＳＩＮを、図１１（ａ）に示すＮＴＳＣ規格のフレーム周波数を有する第２内部同期信号ＳＹＮＣ２と同期して圧縮復号化することにより生成されている。この場合、第３同期化装置５１は、図１１（ｃ）に示す復号化映像信号ＶＯＵＴ１をそのまま出力映像信号ＶＯＵＴ２として出力すれば良い。
【００５８】
このように、第２の実施の形態によれば、第２内部同期信号ＳＹＮＣ２の規格と無関係に、圧縮符号化系及び圧縮復号化系のいずれにおいても任意の規格を取り扱うことが可能となる。したがって、例えばＰＡＬ規格の入力映像信号ＶＩＮをＮＴＳＣ規格のフレーム数に変換して圧縮符号化し、ＮＴＳＣ規格の符号化映像信号ＢＳＩＮを圧縮復号化してＰＡＬ規格のフレーム数に変換できる。この結果、ＰＡＬ規格の入力映像信号ＶＩＮをＮＴＳＣ規格に変換して録画装置内に録画し、ＮＴＳＣ規格の符号化映像信号ＢＳＩＮをＰＡＬ規格に変換して表示装置上に表示するような動作を実現できる。したがって、図１に示す映像信号処理装置と比して更に汎用性の高い映像信号処理装置を提供できる。
【００５９】
（その他の実施の形態）
上記のように、本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。
【００６０】
上述した第１及び第２の実施の形態に係る映像信号処理装置は、同一の半導体チップ上にモノリシックに集積化し、半導体集積回路として構成可能である。また、第１及び第２の実施の形態に係る映像信号処理装置は、例えばＨＤＤレコーダ、ＤＶＤレコーダ、ＨＤＤ搭載ＤＶＤレコーダ等の様々な製品に適用できる。
【００６１】
更に、コーデック装置４としてＭＰＥＧコーデック装置を利用する一例を説明したが、ＭＰＥＧコーデック装置に限らず、同一の同期信号の周期内で、圧縮符号化及び圧縮復号化を時分割で実行可能なコーデック装置であれば使用できる。
【００６２】
既に述べた第１及び第２の実施の形態においては、フレーム周波数が２５［Ｈｚ］の放送規格としてＰＡＬ規格を例に説明したが、ＰＡＬ規格に限らず、ＳＥＣＡＭ規格、ＰＡＬ−Ｍ規格、ＰＡＬ−Ｎ規格等を利用しても良い。
【００６３】
このように本発明は、ここでは記載していない様々な実施の形態等を包含するということを理解すべきである。したがって、本発明はこの開示から妥当な特許請求の範囲の発明特定事項によってのみ限定されるものである。
【図面の簡単な説明】
【００６４】
【図１】本発明の第１の実施の形態に係る信号処理装置の構成を示すブロック図である。
【図２】本発明の第１の実施の形態に係る信号処理装置の動作を示すタイミングチャートである。
【図３】本発明の第１の実施の形態に係る第１同期化装置及び第２同期化装置の動作を示すタイミングチャートである。
【図４】本発明の第１の実施の形態に係る第１同期化装置及び第２同期化装置の動作を示すタイミングチャートである。
【図５】本発明の第１の実施の形態に係る第１同期化装置及び第２同期化装置の動作を示すタイミングチャートである。
【図６】本発明の第１の実施の形態に係る第１同期化装置及び第２同期化装置の動作を示すタイミングチャートである。
【図７】本発明の第２の実施の形態に係る信号処理装置の構成を示すブロック図である。
【図８】本発明の第２の実施の形態に係る第３同期化装置の動作を示すタイミングチャートである。
【図９】本発明の第２の実施の形態に係る第３同期化装置の動作を示すタイミングチャートである。
【図１０】本発明の第２の実施の形態に係る第３同期化装置の動作を示すタイミングチャートである。
【図１１】本発明の第２の実施の形態に係る第３同期化装置の動作を示すタイミングチャートである。
【符号の説明】
【００６５】
２ａ，２ｂ…同期信号生成装置
４…コーデック装置
１１…第１同期化装置
１２…第２同期化装置
５１…第３同期化装置
【図１】
2006140715.tif 000003
【図２】
2006140715.tif 000004
【図３】
2006140715.tif 000005
【図４】
2006140715.tif 000006
【図５】
2006140715.tif 000007
【図６】
2006140715.tif 000008
【図７】
2006140715.tif 000009
【図８】
2006140715.tif 000010
【図９】
2006140715.tif 000011
【図１０】
2006140715.tif 000012
【図１１】
2006140715.tif 000013